(57)【要約】      （修正有）【課題】口縫い糸を用いなくても、養殖篭を海中で垂直に設置したときは口が閉じ、養殖篭を地上部で横にした際は口が開いて貝の出し入れをできる、口を縫わずに貝の出し入れを容易にした貝類の円筒状養殖篭を提供する。【解決手段】養殖空間各段において、開口部７を三角形の蓋網８が付いたような形状とし、三角形の蓋網の底辺下部が側網４に数ｃｍから１０ｃｍ程度重なるように下方の支持枠１に縫合され、三角形の蓋網の頂点上部が側網４に重なりがない状態で上方の支持枠１に縫合される。糸で閉じなくても、貝を養殖篭に投入した後の口縫いが不要となり、水揚げ時には、口縫い糸を解かなくても、貝を養殖篭から出すことができる。【選択図】図１
0003197020.tif 000002
【実用新案登録請求の範囲】
【請求項１】
複数段に配置された円形の支持枠と、該支持枠の外側に取付けられた網状物から成る側網と、前記支持枠の内側に補強のために連結された補強梁と、前記側網内に支持枠と補強梁により形成される複数段の収納室を形成する網状物から成る皿網と、前記支持枠の外周の補強梁の取付部に連結した吊ロープと、前記側網の胴部に軸心方向に沿って開口部を設けた円筒状養殖篭において、前記開口部は、三角形の蓋網が付いたような形状とし、蓋網下部が側網に数ｃｍから１０ｃｍ程度重なるように下方の支持枠に縫合され、蓋網上部が側網に重なりがない、接合状態に上方の支持枠に縫合されることを特徴とする口を縫わずに貝の出し入れを容易にした貝類の円筒状養殖篭。
【考案の詳細な説明】
【技術分野】
【０００１】
本考案は、円筒状の養殖篭を海中に吊り下げてホタテ養殖等に使用される口を縫わずに貝の出し入れを容易にした貝類の円筒状養殖篭に関する。
【背景技術】
【０００２】
従来、帆立貝、カキ、真珠貝のような貝類等の養殖に用いる養殖篭は、複数段に配置された円形の支持枠と、この支持枠の内側に補強のために連結された補強梁２本が十文字に配置されており、上記支持枠外側に連結された側網と、支持枠と補強梁により形成される皿部分の上に連結された皿網と、上記支持枠の補強梁の取付部に連結した４本の吊ロープと、上記側網の胴部に貝の出し入れをする開口部を設けて、複数段の養殖空間を備えた円筒状養殖篭が知られている。
【０００３】
上記、貝類を養殖するための円筒状の養殖篭は、採苗した稚貝を１ｃｍから６ｃｍ程度まで稚貝篭を使用して中間育成した後、円筒状の養殖篭に移し替えて１０−１２ｃｍの成貝として出荷するために使用されている。
円筒状の養殖篭に稚貝を投入したのち、貝が外に出ないようにするため、口部分を糸で縫う必要がある。この口閉じの作業に時間が掛かるため、円筒状の養殖篭を速やかに海中に戻すことが難しく、円筒状の養殖篭に投入した貝が弱ってしまうという問題が生じている。円筒状の養殖篭に投入時に貝が弱ると、成長を阻害されるばかりでなく、養殖中に斃死してしまうという深刻な問題になってしまう。
出荷の際、円筒状の養殖篭を船上に上げた後、貝を円筒状の養殖篭から出す際も口を縫っている糸を外してから貝を出さなければならないため、この作業に時間がかかり、成長した貝でさえ弱ってしまうという問題がある。特に大量に養殖している経営体では、短時間に大量の水揚げ処理が必要となるため、この作業が水揚げ量を制限する要因となり、１日の出荷量が限定されてしまう。
【０００４】
原則一人で迅速な出し入れ操作を行える一方、海中における閉鎖安定性を十分に確保する連段式貝類養殖篭が知られている（特許文献１を参照）。
この公知技術は、側網には各育成室の円周方向に離れた位置に入口部と出口部を個別に形成してなり、入口部が育成室の全高より小さなスリット状をなしており、且つ、上下固定の入口部扉体によって覆われていることにより、養殖篭の海中吊下状態では、上下方向に引っ張られて閉じられたままであるし、また出口部においても二重の扉体の重合により閉鎖状態が保たれる。養殖篭を陸上部に引き上げた後は、出口部の扉体の上下の閉じ糸を抜くことにより、簡単に出口部を開くことができ、成長し、寸法の大きくなった成貝を原則一人の作業者により、迅速に取出すことができる。
【０００５】
また、養殖篭内への貝類の取入取出しに際し、開口の閉鎖作業や解放作業が不要で、取入、取出しを迅速に行えるようにした貝類の養殖篭が知られている（特許文献２を参照）。
この公知技術は、篭部の上部の側網の一部に、常時開口する開口部を形成し、その開口上縁が、篭部の上部のフレームに沿って略Ｖ形若しくは略Ｕ形に開口し、開口部の下方における篭部の外周は側網が周方向に連続して形成された貝類の養殖篭で、篭を逆さにした状態で開口縁が最大幅となるため、取出しやすいし、開口部の下部は側網により閉鎖されていることから、水中への吊下げ状態において、貝が逃げ出すことはない。
【０００６】
また、海中吊下状態では、確実に出し入れ口を閉じた状態に保持でき、取出し時には、単なる振り落とし作業により、出し入れ口を通じて迅速に移し替え作業ができるようにした貝類の養殖篭が知られている（特許文献３を参照）。
この公知技術は、養殖篭の外周部を囲う側周網に形成された貝類出し入れ口の開口縁部に、篭内に向けて内向きに配置され、かつ自然状態において内向き及び開口閉鎖方向への力が付勢された、弾力性を有するプラスチックモノフィラメント製の菱目或いは角目網によりなる漏斗状の戻り防止網を設けた貝類の養殖篭で、海中吊下状態で、篭内へ侵入可能であるが、篭内から外へ出ることはできない一方通行であるため、篭から貝類特にホタテの外部拡散を防止できるし、また取出すときには出し入れ口を下にして上下に振ると、貝の自重により戻り防止網が反転して、これを漏斗状のガイドとして移し替え容器内に直ちに移し替えができる。
【先行技術文献】
【特許文献】
【０００７】
【特許文献１】特許第５０１６６９４号公報
【特許文献２】特許第４８６１４５７号公報
【特許文献３】特許第４６２９７０８号公報
【考案の概要】
【考案が解決しようとする課題】
【０００８】
本考案は、口縫い糸を用いなくても、養殖篭を海中で垂直に設置したときは口が閉じ、養殖篭を地上部で横にした際は口が開いて貝の出し入れをできるように設計された、口を縫わずに貝の出し入れを容易にした貝類の円筒状養殖篭を提供することを目的とする。
【課題を解決するための手段】
【０００９】
本考案の口を縫わずに貝の出し入れを容易にした貝類の円筒状養殖篭は、複数段に配置された円形の支持枠と、該支持枠の外側に取付けられた網状物から成る側網と、前記支持枠の内側に補強のために連結された補強梁と、前記側網内に支持枠と補強梁により形成される複数段の収納室を形成する網状物から成る皿網と、前記支持枠の外周の補強梁の取付部に連結した吊ロープと、前記側網の胴部に軸心方向に沿って開口部を設けた円筒状養殖篭において、前記開口部は、三角形の蓋網が付いたような形状とし、蓋網下部が側網に数ｃｍから１０ｃｍ程度重なるように下方の支持枠に縫合され、蓋網上部が側網に重なりがない、接合状態に上方支持枠に縫合されるものである。
【考案の効果】
【００１０】
本考案の口を縫わずに貝の出し入れを容易にした貝類の円筒状養殖篭は、養殖篭の開口部を貝を投入した後で貝が外に出ない三角形の蓋網が付いたような形状とすることで、従来のように糸で閉じなくても、稚貝を養殖篭に投入した後の口縫いが不要となり、口縫い作業に要した作業時間の分早く作業が終わるため、稚貝へのダメージを軽減することで、成長を阻害することなく養殖を行うことができる。
本考案の口を縫わずに貝の出し入れを容易にした貝類の円筒状養殖篭は、水揚げ時にも、養殖篭の開口部を三角形の蓋網が付いたような形状とすることで、従来のように口縫い糸を解かなくても、貝を養殖篭から出すことができるようになることから、同じ時間内で従来よりも大量の水揚げ処理ができるようになり、人件費の抑制と収入増という効果が期待できる。
【図面の簡単な説明】
【００１１】
【図１】本考案の口を縫わずに貝の出し入れを容易にした貝類の円筒状養殖篭を示す概略斜視図である。
【図２】開口部を示す拡大説明図である。
【図３】貝を取出す作業状態を示す説明図である。
【考案を実施するための形態】
【００１２】
本考案の口を縫わずに貝の出し入れを容易にした貝類の円筒状養殖篭の一実施例を添付図面に基づいて、以下に説明する。
図１の概略斜視図に示すように、本考案の口を縫わずに貝の出し入れを容易にした貝類の円筒状養殖篭は、円環状の支持枠１と、該支持枠１の中心を通るように接合された２本の補強梁２と、前記支持枠１と前記補強梁２を網地で被って形成した皿網３と、該皿網３を上下に所定間隔を空けて配置し、前記皿網３の外側を網地で筒状に被って形成した側網４と、前記支持枠１と前記補強梁２との結合部５に結び目を形成して前記側網４の外側を通過して下段の皿網３にそれぞれ同様に結び目を形成して連結した吊ロープ６と、前記側網４の胴部に軸心方向に沿って設けた開口部７とから構成される。
【００１３】
前記開口部７は、図２の拡大説明図に示すように、養殖空間各段において、三角形の蓋網８が付いたような形状とし、三角形の底辺の蓋網下部が側網４に数ｃｍから１０ｃｍ程度重なるように下方の支持枠１に縫合され、三角形に余裕を持たせて膨らませて、三角形の頂点の蓋網上部が側網４に重なりがない、接合状態に上方の支持枠１に縫合される。
前記蓋網８の三角形の開口縁９には、目印となるように着色糸で縁取られている。
【００１４】
前記開口部７の形成方法は、側網４を数ｃｍから１０ｃｍ程度重ね合わせた後、逆三角形にカットすることにより蓋網８を形成する。そして、三角形の底辺の蓋網下部が数ｃｍから１０ｃｍ程度重なった状態で下方の支持枠１に縫合され、三角形の頂点の蓋網上部が側網４に重なりがない、図２に示すように、接合状態に上方の支持枠１に縫合される。
すなわち、前記開口部７は、蓋網８に被われると共に、側網４に蓋網８が付いたような形状となる。
【００１５】
次に、本考案の口を縫わずに貝の出し入れを容易にした貝類の円筒状養殖篭の操作動作を添付図面に基づいて、以下に説明する。
養殖篭に稚貝を投入する場合には、養殖篭の開口部７が上向きとなるように横にし、蓋網８の開口縁９を拡げて手作業で稚貝を投入する。
養殖篭を海中で垂直に設置したときは、蓋網８が上下方向に引っ張られて閉じられ、開口部７の下部は蓋網８により閉鎖されていることから、水中への吊下げ状態において貝が逃げ出すことはない。
【００１６】
また、養殖篭から成貝を取り出す場合には、図３の説明図に示すように、養殖篭の開口部７が下向きとなる横にした状態にすると、成貝の重みで蓋網８の開口縁９が自動的に開いて成貝の取出しが容易に行うことができる。
【００１７】
このように、本考案の口を縫わずに貝の出し入れを容易にした貝類の円筒状養殖篭は、養殖篭の開口部７に三角形の蓋網８が付いたような形状とすることで、従来のように糸で閉じなくても、貝を養殖篭に投入した後の口縫いが不要となり、水揚げ時にも、従来のように口縫い糸を解かなくても、貝を養殖篭から出すことができる。
【符号の説明】
【００１８】
１  支持枠
２  補強梁
３  皿網
４  側網
５  結合部
６  吊ロープ
７  開口部
８  蓋網
９  開口縁
【図１】
0003197020.tif 000003
【図２】
0003197020.tif 000004
【図３】
0003197020.tif 000005